(57)【要約】【課題】  占有スペースを最低限に抑え得る巻真位置決め用板状構造体及びこれを備えた電子時計を提供すること【解決手段】  電子時計１の巻真位置決め用板状構造体５０は、主面が時計本体２の主面と角度をなす状態で時計本体２の機枠１４に対して配設され、時計本体２の機枠１４の係合部１８に保持される板状基体部５１と、該基体部５１うち機枠１４の厚さ方向Ｚの一端縁５２ｄから時計本体２の厚さ方向Ｚ及び時計本体２の主面の延在方向Ｙに延び、先端の巻真係合部５９で巻真２０のソロバン玉状部２７に隣接する小径軸部２５に係合する弾性的な巻真係合腕部５７であって、巻真２０のＡ１，Ａ２方向の出入れの際にソロバン玉状部２７によってＦ２方向に弾性変形されて該ソロバン玉状部２７の通過を許容するものとを有する。【選択図】  図３
2006184236.tif 000002
【特許請求の範囲】
【請求項１】
主面が時計本体の主面と角度をなす状態で時計本体の機枠に対して配設され該機枠の係合部によって保持される板状基体部と、
該基体部のうち機枠の厚さ方向の一端縁から前記時計本体の厚さ方向及び前記時計本体の主面の延在方向に延び、先端の巻真係合部で巻真のソロバン玉状部に隣接する小径軸部に係合する弾性的な巻真係合腕部であって、前記巻真の出入れの際に前記ソロバン玉状部によって弾性変形されて該ソロバン玉状部の通過を許容するものと、
を有する巻真位置決め用板状構造体。
【請求項２】
前記弾性的な巻真係合腕部が、
前記基体部のうち機枠の厚さ方向の一端縁から時計本体の厚さ方向及び該時計本体の主面の延在方向に延びた弾性的な腕本体部と、
前記巻真の前記ソロバン玉状部に隣接する前記小径軸部に係合すべく該腕本体部の先端に形成された巻真係合部であって、前記腕本体部が弾性変形された際に前記ソロバン玉状部の通過を許容するものと
を備える請求項１に記載の巻真位置決め用板状構造体。
【請求項３】
巻真係合部が巻真の小径軸部の外周の一側に係合される凹状部分を備える請求項１又は２に記載の巻真位置決め用板状構造体。
【請求項４】
巻真係合部が巻真の小径軸部に遊嵌されるリング状部分を備える請求項１又は２に記載の巻真位置決め用板状構造体。
【請求項５】
前記基体部が時計本体の延在方向に延在した細長い形状を有し、機枠の係合部は、基体部が挟まれて保持される溝部又は複数の突起部からなる請求項１から４までのいずれか一つの項に記載の巻真位置決め用板状構造体。
【請求項６】
主面が前記時計本体の主面に対して実質的に直角になるように時計本体に配置される請求項１から５までのいずれか一つの項に記載の巻真位置決め用板状構造体。
【請求項７】
請求項１から６までのいずれか一つの項に記載の巻真位置決め用板状構造体を有する電子時計であって、前記基体部が、その一端に電池を押える電池押圧用板バネ部を備え、他端に水晶発振器筐体を押える水晶発振器筐体押圧用板バネ部を備える電子時計。
【発明の詳細な説明】
【技術分野】
【０００１】
本発明は、巻真位置決め用板状構造体及びこれを備えた電子時計に係る。
【背景技術】
【０００２】
針回しのための巻真の引出しの際及びその後の巻真の押込みの際に、巻真の位置決めを行うと共にユーザにクリック感を与え得るようにすることは、知られている。この巻真の位置決め及びクリック感の付与のために、巻真にソロバン玉状の大径部を形成しておくと共に該ソロバン玉状大径部に隣接して位置する小径部に係合部を弾性的に係合させておき、巻真の出入れの際にソロバン玉状部の一端側の小径部からソロバン玉状部を越えて他端側の小径部に係合部が相対移動するようにすることも、知られている。
【０００３】
従来の電子時計では、この巻真の位置決め及びクリック感の付与のために、時計本体の延在面に沿う方向に時計本体の機枠に沿って拡がり電池プラス端子として機能する金属製板状体の一部を板バネとして作用する状態で時計本体の厚さ方向に折曲げ、該折曲により形成された厚さ方向延在部に大径孔部を形成してソロバン玉状大径部に隣接して位置する小径部に遊嵌させていた（例えば、特許文献１）。
【０００４】
しかしながら、この種の従来の巻真位置決め構造体では、機枠の延在面に沿って拡がった板状部の一部を板バネとして機能し得るようにする必要があることから、板バネの変形が厚さ方向に曲がるに要するスペースを比較的大きく確保する必要があり、時計ケース内の狭い空間の利用効率が悪かった。その結果、巻真位置決め構造体の形状及び配置（レイアウト）並びに機枠の形状などが制約され、時計部品のレイアウトなどに関する設計の自由度も低くなった。
【特許文献１】特開２００４−９３５３４号公報（例えば、図２）
【発明の開示】
【発明が解決しようとする課題】
【０００５】
本発明は、前記した点に鑑みなされたものであって、その目的とするところは、占有スペースを最低限に抑え得る巻真位置決め用板状構造体及びこれを備えた電子時計を提供することにある。
【課題を解決するための手段】
【０００６】
本発明の巻真位置決め用板状構造体は、前記目的を達成すべく、主面が時計本体の主面と角度をなす状態で時計本体の機枠に対して配設され該機枠の係合部によって保持される板状基体部と、該基体部のうち機枠の厚さ方向の一端縁から時計本体の厚さ方向及び時計本体の主面の延在方向に延び、先端の巻真係合部で巻真のソロバン玉状部に隣接する小径軸部に係合する弾性的な巻真係合腕部であって、巻真の出入れの際にソロバン玉状部によって弾性変形されて該ソロバン玉状部の通過を許容するものとを有する。
【０００７】
この巻真位置決め用板状構造体では、主面が時計本体の主面と角度をなす状態で板状基体部が時計本体の機枠に対して配設され、弾性的な巻真係合腕部が基体部のうち機枠の厚さ方向の一端縁から時計本体の厚さ方向及び時計本体の主面の延在方向に延び先端の巻真係合部で巻真のソロバン玉状部に隣接する小径軸部に係合するので、弾性的な巻真係合部腕部の弾性変形が、実際上該構造体の延在面内で時計本体の厚さ方向（基体部の面の延在方向）に生じるから、基体部が比較的薄い板状体からなっていても、巻真係合腕部にかかる基体部面の延在方向の力に対して、基体部が十分な剛性を備え得る故、弾性変形を巻真係合腕部に局所化させ得るだけでなく、該巻真位置決め用板状構造体の配設及び動作に要するスペースが最低限に抑えられ得る。従って、時計本体のサイズを最低限にし得るだけでなく、時計部品のレイアウトの自由度も高められ易い。
【０００８】
ここで、基体部は、典型的には、主面が時計本体の主面に対して直角になるように配置される。但し、巻真係合腕部の弾性変形が実際上基体部及び該腕部の延在面内で生じるとみなし得る限り、多少は、直角方向からズレていていもよい。
【０００９】
本発明の巻真位置決め用板状構造体では、巻真係合腕部の長さ方向の全体が弾性的な部分からなっていてもよいけれども、典型的には、前記弾性的な巻真係合腕部が、基体部のうち機枠の厚さ方向の一端縁から時計本体の厚さ方向及び時計本体の主面の延在方向に延びた弾性的な腕本体部と、巻真のソロバン玉状部に隣接する小径軸部に係合すべく該腕本体部の先端に形成された巻真係合部であって、腕本体部が弾性変形された際にソロバン玉状部の通過を許容するものとを備える。
【００１０】
本発明の巻真位置決め用板状構造体では、典型的には、巻真係合部が、巻真の小径軸部の外周の一側に係合される凹状部分を備えるか、又は巻真の小径軸部に遊嵌されるリング状部分を備える。
【００１１】
凹状部分を備える場合、巻真が出し入れされると、円弧状部分の開口側が巻真の中心軸線から遠ざかるように弾性的な腕本体部が弾性変形されることにより、凹状部分がソロバン玉状部の移動を許容する。凹状部分からなる場合、凹状部分を該凹状部分の底壁側に変位させるように腕本体部を曲げることにより係合が解除され得るので、巻真の着脱が容易に行われ得る。凹状部分は、典型的には、円弧状であるけれども、Ｕ字状やＶ字状等他の形状でもよい。凹状部分は、典型的には、輪列受側に向いているけれども、所望ならば、地板側に向いていてもよい。
【００１２】
リング状部分を備える場合、巻真が出し入れされると、リング状部分のうち小径軸部に当接していた部分が巻真の中心軸線から遠ざかるように（リング状部分の中心が巻真の中心軸線に近付くように）弾性的な腕本体部が弾性変形されることにより、リング状部分がソロバン玉状部の移動を許容する。
【００１３】
本発明の巻真位置決め用板状構造体では、典型的には、主面が時計本体の主面と角度をなす状態で時計本体の機枠に対して配設され該機枠の係合部によって支持される板状基体部は、時計本体の機枠に対して静置される限り機枠によって直接的に支持されても間接的支持されてもよいけれども、典型的には、時計本体の機枠の溝部に又は突起部間に挟まれて時計本体の機枠により支持されるように構成される。突起部は対向して配置されてもジグザグに配置されてもよい。突起部は、ピンのように線接触（時計本体の主面に垂直な方向から見た場合点接触）状態で基体部を支持しても、面接触（時計本体の主面に垂直な方向から見た場合線接触）状態で基体部を支持してもよい。この場合、基体部は、典型的には、その主面が時計本体の主面に対して実質的に直角になり且つ時計本体の主面の延在方向に延び得るので、ネジやカシメなどで固定しなくても所定の状態に配置・支持され得る。従って、機枠の保持構造の占有スペースも最低限に抑えられ得る。
【００１４】
なお、時計本体の機枠の溝部に又は突起部間に挟まれた状態において板状構造体の基体部が該機枠の溝部の側壁又は突起部によって直接保持されても、時計本体の機枠の溝部に又は突起部間に挟まれた状態では遊嵌状態で端部が電池や水晶缶などに弾性的に押付けられることにより初めて保持されるようになっていてもよい。
【００１５】
なお、巻真の出入れの際に巻真係合腕部が巻真から受ける時計本体の厚さ方向の力に対して板状基体部を支えるべく、板状基体部の厚さ方向の端縁を対応する側に位置する機枠の突起部で係止するようにしておいてもよい。
【００１６】
また、巻真の出入れの際に巻真係合腕部が巻真から受ける巻真の長手方向の力に対して巻真係合腕部自体を支えるべく、該巻真係合腕部が厚さ方向に遊嵌される規制壁部を形成しておいてもよい。該規制壁部は、例えば、機枠の前記係合部を構成する溝部の対向側壁又は複数の突起部の一部等に形成され得る。
【００１７】
本発明の巻真位置決め用構造体を備えた電子時計では、前記基体部が、その一端に電池を押える電池押圧用板バネ部を備え、他端に水晶発振器筐体を押える水晶発振器筐体押圧用板バネ部を備える。これにより、時計部品のうち大きな水晶発振器や電池を確実に押え得るだけでなく、巻真位置決め用構造体の基体部の保持がより安定になされ得る。なお、巻真位置決め用板状構造体は、典型的には、金属製の板バネからなり、電池プラス端子として機能する。従って、電池プラス端子の簡単な構造になり、その製造も容易になる。
【００１８】
また、  本発明の巻真位置決め用構造体を備えた電子時計では、典型的には、前記板状構造体が、リセットレバーをリセット位置に偏倚させるリセットレバー偏倚バネ部を時計本体の厚さ方向の一端縁に備える。この場合、リセットレバーを実際上剛体で形成することが可能になる。また、この場合、リセットレバー偏倚バネ部がリセットレバーの回動面に対して交差する方向（典型的な垂直な方向）に延在することから、バネ部の形状が単純化され得、動作が安定され易い。この場合、リセットレバーは、典型的には、時計本体の機枠に対して回転自在に支持される軸受部又は軸部と、巻真（典型的には該巻真の先端部の端面又は側面）の押圧力を受ける巻真当接部と、リセット位置に回動された際にリセットピン等に当接されるリセット端子部と、リセットレバー偏倚バネ部に係合されるバネ受部とを有し、これらの部分が、一体的な剛性構造体として形成される。このリセットレバーは、実質的にバネ機能を備える必要がないので、材料及びサイズの自由度が大幅に高められ、板金の単純な打抜き体で形成することが実際上可能になることから製造し易く製造コストも最低限に抑えられ得る。なお、巻真当接部は、巻真の押圧力を受けることから、ある程度の弾性を持っていてもよいけれども、弾性は実際上リセットレバー偏倚バネ部によって確保されるので、リセットレバー偏倚バネ部よりもはるかに剛性が高くてもよい。
【発明を実施するための最良の形態】
【００１９】
次に、本発明の好ましい一実施の形態を添付図面に示した好ましい一実施例に基づいて説明する。
【実施例】
【００２０】
電子時計１の時計本体２は、機枠を構成する地板１０を備える。以下では、説明の簡明化のために、地板１０に固定した三次元直交座標系を採る。ここで、巻真２０の引出し方向Ａ１（３時側）をＸ方向とし、図１において右方向（１２時側）をＹ方向、図面に垂直に図の奥の方向をＺ方向とする。Ｚ方向は、文字板１２（図２参照）のある側に一致する。ここで、ＸＹ平面は、時計本体２の主面と平行であり、Ｚ軸の方向は、時計本体２の主面に対して垂直な方向である。図１及び図２において、Ｃは、時計本体２の輪列機構３につながった時刻表示針１３（即ち、時針１３ａ，分針１３ｂ，秒針１３ｃ）の回転中心軸線である。ここで、時計本体２は、時計１からケースなどの外装部分を除いた部分を指す。
【００２１】
地板１０は、該地板１０の−Ｚ側表面１０ａの夫々の位置に位置決めされるべき各種時計要素の配設・支持に適する凹凸や表面形状を備える。地板１０は、３時側の位置に巻真案内孔１１ａを備えた側壁１１（図２）を有すると共に、−Ｚ側表面１０ａに突設された水晶発振器筐体（水晶缶）受突起部１１ｆ、フレキシブル回路基板載置用突出部１１ｇ及び板バネ中央側縁受突起部１１ｊ，１１ｋ、並びに該表面１０ａに形成されたつづみ車受容凹部１１ｈや側壁１１等により周壁の一部が規定された電池収容凹部１１ｂ等を備える。なお、地板１０の表面１０ａのうち中心軸線Ｃからみて時針のほぼ５時の方向には、更に、リセットピン３２が植設されている。リセットピン３２の位置は、後述する回路基板３４などの配置や形状次第では、他の位置でもよい。
【００２２】
地板１０の巻真案内孔１１ａを貫通する巻真２０は、基端側の大径軸部２１に加えて、先端の角柱状係合軸部２２、中間の円柱状中径軸部２３、軸部２２，２３間の円柱状小径軸部２４、Ａ１，Ａ２方向の両側が小径軸部２５，２６で規定されたそろばん玉状部２７を備え、つづみ車２８に嵌合されている。基端側の中径穴部及び先端（奥）側の角筒状穴部を備えたつづみ車２８は、地板１０のつづみ車受容凹部１１ｈ内に位置し、軸部２２，２４，２３の間において巻真２０に嵌合されている。巻真２０がＡ２方向に押込まれた０段位置（通常位置）にある場合には、つづみ車２８の中径穴部及び角筒状穴部が夫々巻真２０の中径軸部２３及び小径軸部２４に回転自在に嵌合される。一方、巻真２０がＡ１方向に一段引出された一段目位置（引出位置）にある場合には、つづみ車２８の角筒状穴部が巻真２０の先端の角柱状係合軸部２２に係合されて、巻真２０のＢ方向の回転に応じてつづみ車２８が回転される。つづみ車２８は先端の歯車部２８ａで八番歯車１５ｆに噛合されている。
【００２３】
輪列機構３は、図１及び図２からわかるように、地板１０と該地板１０に対して−Ｚ方向に間隔をおいて位置する輪列受１４の部分との間に位置する表側輪列１５と地板１０の＋Ｚ側に位置する裏側輪列１６とを含む。輪列受１４は、地板１０と同様に機枠の一部とみなし得る。表側輪列１５は、六番車１５ａ、五番車１５ｂ、四番車（秒車）１５ｃ、三番車１５ｄ、二番車（分車）１５ｅ、及び八番歯車１５ｆを含み、裏側輪列１６は、筒車（時車）１６ａ及び八番かな１６ｂを含む。八番車（日の裏車）１７の軸ないし胴は、地板１０をＺ方向に貫通して延び、表輪列１５の側に八番歯車１５ｆが設けられ、裏側輪列１６の側に八番かな１６ｂが設けられている。三番車１５ｄの軸のうち地板１０に近接した側の軸部は、後述するリセットレバー６０の軸受孔６６ａに嵌合される。
【００２４】
図１において、地板１０の表面１０ａのうち巻真２０とは反対側すなわち９時側の位置には、Ｙ方向に細長いモータ４が配置されている。図１において、巻真２０及びモータ４の右側においては、周壁の一部が規定された電池収容凹部１１ｂに、ボタン型電池５が配置される。また、図１において、巻真２０及びモータ４の左側には、時計用ＩＣ（集積回路）３３が実装されたフレキシブル回路基板３４及び水晶発振器３０を含む回路ブロック６が配置されている。基板３４には、所望に応じて、ＩＣ３３以外の回路部品も実装される。
【００２５】
モータ４は、ステータ４ａ及びコイルブロック４ｂ並びにロータ４ｃを含み、ロータ４ｃの軸には、六番車１５ａを構成するロータかなが形成されている。モータ４のコイルブロック４ｂは、巻線の延設部４ｄでフレキシブル回路基板３４に電気的に接続されている。
【００２６】
３６ａ，３６ｂは、ステータ４ａとコイルブロック４ｂとを機械的に一体的に結合する連結部である。連結部３６ａのところでは回路基板３４がモータ４に固定され、連結部３６ｂのところでは電池マイナス端子７がモータ４に固定されている。連結部３６ａ，３６ｂは中央に開口を備え、該開口に地板１０から突設された突起が嵌合され熱カシメされて、モータ４や回路基板３４等の全体が地板１０に固定されている。電池マイナス端子７は、地板１０の表面１０ａに沿って、電池５の＋Ｚ側に延び、地板１０の表面１０ａ上に載置される電池５の端面の負極５ａ（図３）に接触する。電池マイナス端子７は、モータ４（例えば、ステータ部材４ａやコイルブロック４ｂの巻線に対して絶縁された巻芯等）を介して回路基板３４に電気的に接続され、回路基板３４に電池５のマイナス電位を与える。すなわち、モータ４の部品の導電性部分自体が、電池マイナス端子７と協働して、電源のマイナス側の給電線になっている。
【００２７】
モータ４のロータ４ｃの軸部の−Ｚ側端部は輪列受１４に回転自在に支持される。モータ４の大径のコイルブロック４ｂは、−Ｚ方向に突出し、輪列受１４の対応する切欠ないし開口（図示せず）内に遊嵌されても、輪列受１４で押えられてもよい。同様に、−Ｚ方向に高さの高い電池５も、輪列受１４の対応する電池着脱用開口（図示せず）内に遊嵌される。電池５の寿命の範囲内での使用を前提とする場合、電池５を輪列受１４で押さえつけるようにしてもよい。
【００２８】
回路ブロック６のフレキシブル回路基板３４の＋Ｚ側表面のうち時計本体２の中心側側縁には、リセットピン接続用導電パッド部３５ａが形成され、フレキシブル回路基板３４が、図示の例では該基板３４と実際上同一の平面形状の地板突出部１１ｇ上に載置された際、該導電パッド部３５ａがリセットピン３２の−Ｚ側端面（頂面）に丁度当接する。なお、突出部１１ｇは、フレキシブル回路基板３４を所望の安定性で支え得る限り、当然ながら、その形状は、フレキシブル回路基板３４とは異なっていてもよい。なお、輪列受１４を取付けた状態では、輪列受１４が回路基板３４の導電パッド部３５ａをリセットピン３２の頂面に押付ける。但し、リセットピン３２と回路基板３４との電気的接続は、異なる形態で実現されてもよい。
【００２９】
回路ブロック６には、更に、導電パターン３５ｂ，３５ｃ，３５ｄが形成され、導電パターン３５ｄには接続端子片部３５ｅが取付けられている。導電パターン３５ｄは、時計用ＩＣ３３の電源電圧（電位）Ｖｄｄの給電用端子に接続され、導電パターン３５ｂ，３５ｃは、水晶発振器３０の端子に接続されている。導電パターン３５ｂ，３５ｃには、水晶発振器３０の一対の接続ピンなし接続端子部３０ａ，３０ｂが、半田付により、電気接続され固定されている。基端で導電パターン３５ｄに電気接続された接続端子片部３５ｅは、地板１０の表面１０ａに沿って延び、該地板１０の表面１０ａ上に載置された水晶発振器３０の筐体としての導電性の缶すなわち水晶缶３１の基端部３１ａの周面の＋Ｚ側部分に接触する。
【００３０】
輪列受１４には係合部としての溝１８（図２）が形成され、該溝１８には、巻真位置決め用板状構造体としての金属製の板バネ構造体５０が係止されている。板バネ構造体５０の主面ないし表面は、図１及び図２に加えて図３及び図４に示したように、ＸＹ平面に対して直角である。すなわち、板バネ構造体５０の各部の主面に対する法線は、主面の向きにかかわらず、ＸＹ平面と平行な面内に位置する。
【００３１】
板バネ構造体５０は、図１、図３及び図４からわかるように、時計本体２に沿って、概ねＹ方向に延在した板状基体部としての本体部５１を有する。板バネ本体部５１は、Ｙ方向に延びた基体部としての中央部５２と、中央部５２の＋Ｙ方向端部から該中央部５２に対して鈍角で斜め方向に−Ｘ側に延び先端が電池５のプラス電極５ｂの一部を構成する周面に弾性的に圧接される電池プラス電極接点端子部５３と、中央部５２の−Ｙ方向端部から該中央部５２に対して鈍角で斜め方向に−Ｘ側に延び先端が水晶発振器筐体としての水晶缶３１の先端部３１ｂの側縁３１ｃに弾性的に圧接される水晶缶接点端子部５４とを備える。板バネ構造体５０は、例えば、厚さが０．１５〜０．２ｍｍ程度のステンレス合金板からなる。勿論、厚さや材料は異なっていてもよい。
【００３２】
電池プラス電極接点端子部５３は、中央部５２の＋Ｙ方向端部から該中央部５２に対して鈍角で斜め方向に−Ｘ側に延びた傾斜腕部５３ａと、該傾斜腕部５３ａの先端から更に鈍角で斜めに−Ｘ側に延びた電池プラス電極接点部５３ｂとを含み、電池プラス電極接点部５３ｂの先端部で電池プラス電極５ｂに圧接される。接点部５３ｂの中央部５２に対する折曲角は、全体として、９０度よりも小さい。この例では、中央部５２は、＋Ｙ方向端部の近傍においてＺ方向に幅広になっており、電池プラス電極接点端子部５３は、−Ｚ側の側縁５３ｃが部分的に切欠かれている。なお、電池ブラス電極接点端子部５３の先端の接点部５３ｂは、−Ｚ方向に立上り該立上り端部から更に前方に真直ぐ延びた先端部５３ｄを備えることにより（図３）、電池プラス電極５ｂに対して広い接触領域を確保している。
【００３３】
水晶缶接点端子部５４は、細い腕部５４ａと該腕部５４ａの先端部にＺ方向に幅広に形成された水晶缶接点部５４ｂとを備え、該接点部５４ｂで水晶缶３１の先端部３１ｂの側縁３１ｃに圧接される。
【００３４】
従って、板バネ構造体５０は、電池プラス電極接点端子部５３で電池５のプラス電極５ｂに接触し、水晶缶接点端子部５４で水晶缶３１に接触することにより、接続端子片部３５ｅ及び給電線としての導電パターン３５ｄを介して、ＩＣ３３の電源端子に対して、電池５のプラス電極５ｂの電圧（電位）を直接与える電池プラス端子として機能する。
【００３５】
なお、以上のような構造・形状を有する板バネ構造体５０は、中央部５２に対して、全体として９０度以下で且つ一方向の折曲げによって形成されるので、その折曲金型の形成及び折曲動作が最低限のコスト及び時間で行われ得る。
【００３６】
図３に示したように、板バネ構造体５０は、中央部５２の中心領域５２ａで輪列受１４の係合部１８の突起部１８ａの溝１８ｂに嵌込まれると共に、中央部５２の−Ｚ側の側縁に形成された突出部５２ｂで輪列受１４の開口部１８ｃに嵌め込まれる。
【００３７】
板バネ構造体５０の中央部５２は、溝部１８ｂの代わりに、例えば一対の突起部（例えばピン状物）の間で支えられてもよい。なお、溝部や突起部は、輪列受１４に形成される代わりに、地板１０に形成されていても、輪列受１４と地板１０との両方に形成されていてもよい。
【００３８】
なお、地板１０の表面１０ａには、−Ｚ方向に突出した板バネ中央側縁受突起部１１ｊ，１１ｋが形成され、バネ構造体５０の中央部５２の＋Ｚ側の側縁部５２ｄ（図３）を、以下に説明する巻真係合バネ部５７の両側で他の変位要素と干渉しない部位５２ｅ，５２ｆにおいて支え、中央部５２の＋Ｚ方向への変位を禁止する。
【００３９】
板バネ構造体５０は、更に、＋Ｚ側の側縁部から突出したリセットレバー偏倚バネ部５６と、弾性的巻真係合腕部としての巻真係合バネ部５７とを有する。巻真係合バネ部５７は、本体部５１から＋Ｚ方向に延びた基部側腕部５８ａと、該基部側腕部５８ａの延在端から＋Ｙ方向に延びた先端側腕部５８ｂと、該腕部５８ｂの先端から延設された巻真係合部としての凹状部分に該当する円弧状係合部５９とを含み、該円弧状係合部５９で巻真２０のソロバン玉状部２７の近傍の小径部２５又は２６に弾性的に係合される。ここで、腕本体部５８は、基部側腕部５８ａと先端側腕部５８ｂとからなる。
【００４０】
この板バネ構造体５０は、全体としてＹ方向に延び、Ｚ方向に幅を備えた板バネからなるので、Ｘ−Ｙ平面内で占有する面積が最低限に抑えられ得る。また、溝部１８ｂ等に挿設するだけで保持され得、ネジ止めやカシメ等の固定構造を要しないので、該保持に要するスペースも最低限に抑えられ得る。
【００４１】
板バネ構造体５０は、図１及び図３からわかるように、中央部５２で輪列受１４の係合部１８に係合されて該輪列受１４によって支持され、＋Ｙ方向端部に位置する電池プラス電極接点端子部５３が電池５の正極５ｂの周面にＤ方向に弾性的に圧接され、−Ｙ方向端部に位置する水晶缶接点端子部５４が、地板１０の水晶発振器筐体受突起部１１ｆで支持された水晶缶３１（所望ならば更に水晶缶３１の基端側端面や基端部の側縁を支持するようにしてもよい）の先端部３１ｂの側縁３１ｃにＥ方向に弾性的に圧接される。従って、板バネ構造体５０は、輪列受１４の係合部１８を支点として、電池５及び水晶発振器３０を弾性的に押え付け得るから、サイズが他の部品と比較して大きく載置安定性が悪くなり易い電池５及び水晶発振器３０の両方を同時に安定に位置決め固定し得る。また、板バネ構造体５０は、一端で電池５に大きな接触圧で接触すると共に他端で水晶発振器３０の水晶缶３１に大きな接触圧で接触しているので、電池５のプラス電位を水晶缶３１に確実に伝え得る。しかも、水晶缶３１は、接点端子片部３５ｅ及び導電パターン３５ｄを介して回路ブロック６のＩＣ３３の電源電圧給電端子に接続されているので、水晶発振器３０の筐体すなわち水晶缶３１を電源電圧の供給に直接利用し得る。水晶発振器筐体部ないし水晶缶３１は電子時計１の本体部２の中で大きな体積ないし面積を占めるので、電池プラス端子の長さを最低限に抑え得る。
【００４２】
バネ構造体５０は、また、巻真係合バネ部５７の円弧状係合部５９において、巻真２０のソロバン玉状部２７の両側の小径部２５，２６に係合され、巻真２０に対してＦ１方向の弾性力を及ぼしているので、小径部２５や２６で該バネ部５７に弾性的に係合された巻真２０をＡ１，Ａ２方向に位置ずれすることなく安定に、弾性的に保持し巻真２０を位置決めし得る。また、バネ部５７と小径部２５や２６との係合が弾性的な係合であるので、例えば、巻真２０が０段位置にありバネ部５７の円弧状係合部５９が巻真２０の小径部２５に係合されている際に、該巻真２０をＡ１方向に引出す場合、小径部２５よりも大径のソロバン玉状部２７によってバネ部５７の円弧状係合部５９をＦ２方向に押し下げるように弾性変形させて該ソロバン玉状部２７をＡ１方向に移動させることになる。ソロバン玉状部２７がバネ部５７をＡ１方向に通過すると、バネ部５７の円弧状係合部５９が弾性復元力により再度Ｆ１方向に変形されて小径部２６に嵌り込む。これにより、巻真２０のＡ１方向の引出しに際して、バネ構造体５０のバネ部５７がソロバン玉状部２７と協働してクリック感を与え得る。巻真２０を巻真１段目から巻真０段目にＡ２方向に押込む際にも、バネ部５７の係合部５９が、小径部２６からソロバン玉状部２７の最大径部の通過を許容するように変形された後で小径部２５に嵌り込むことになるので、同様なクリック感が得られる。
【００４３】
なお、以上のようなバネ部５７の支持に際して、バネ構造体５０は、輪列受１４の係合部１８によって保持されているだけでなく、電池５及び水晶缶３１を両端部５３，５４で弾性的に押える反作用として電池５及び水晶缶３１により両端バネ部５３，５４を介して支えられることになるから、安定に保持された状態で、巻真２０の支持が安定化され得る。
【００４４】
また、この電子時計１では、地板１０の表面１０ａの突起部１１ｊ，１１ｋがバネ構造体５０の中央部５２の側縁部５２ｄ（図３）を、巻真係合腕部５７の両側において−Ｚ方向に支えているので、中央部５２の＋Ｚ方向への変位を確実に禁止し得、バネ部５７が確実にクリック感を付与し得る。なお、バネ構造体５０の中央部５２の＋Ｚ方向への変位を確実に禁止してバネ部５７を支え得る限り、突起部１１ｊ，１１ｋの支持位置や数や形状は、異なっていてもよい。所望ならば、輪列受１４に複数の溝１８ｂを形成しておいて、バネ構造体５０を該溝１８ｂに挿設した後、輪列受１４の組付け前に該溝１８ｂの＋Ｚ側開口部を熱カシメ等により閉じたり狭くするようにしてもよい。
【００４５】
更に、巻真２０の出入れの際に巻真係合腕部５８が巻真２０から受ける巻真２０の長手方向Ｘの力に対して巻真係合腕部５８自体を支えるべく、図３において想像線１８ｕで示したところに、該巻真係合腕部５８が厚さ方向Ｘに遊嵌される一対の規制壁部１８ｕを形成しておいてもよい。
【００４６】
この例では、巻真２０が一つのソロバン玉状部２７を備えその両側に一対の小径軸部２５，２６を備えるけれども、巻真が二段の引出位置を有する場合には、巻真２０が二つのソロバン玉状部を備える。その場合、二つのソロバン玉状部の間では、当然ながら一つの小径軸部が共用され得る。
【００４７】
また、巻真係合部の円弧状係合部５９は、その凹状の内側部で巻真２０の小径軸部２５，２６に係合し且つソロバン玉状部２７の軸方向Ａ１，Ａ２への変位を許容し得る限り、円弧状に湾曲する代わりに、開口部に近接する程大きいＵ字状であってもＶ字状であっても他の形状でもよい。なお、係合部５９は、−Ｚ側に凹部を備えた円弧状であって巻真２０の＋Ｚ側から−Ｚ方向に向かって弾性的に押付けられる代わりに、＋Ｚ側に凹部を備えた円弧状であって巻真２０の−Ｚ側から＋Ｚ方向に向かって弾性的に押付けられてもよい。
【００４８】
更に、巻真係合部は、凹状係合部としての円弧状係合部５９の代わりに、図７に示したように、大径孔部５５ａを備えたリング状の係合部５５からなっていてもよい。ここで、大径孔部５５ａは、小径軸部２５，２６に遊嵌され且つ大径のソロバン玉状部２７に遊嵌されて、同軸に配置された場合にはソロバン玉状部２７のＡ１，Ａ２方向への通過を許容し得る大きさを有し、＋Ｚ側の内周壁部で小径軸部２５，２６に弾性的に係合される。但し、外力が働かない場合、−Ｚ側の内周壁部で係合されるようになっていてもよい。このリング状係合部５５を弾性腕部５８の先端に供えた弾性的巻真係合腕部５７ａが、図３等に示した弾性的巻真係合腕部５７と同様に機能することは、明らかであろう。この図７の弾性的巻真係合腕部５７ａを有する巻真位置決め板状構造体としての板バネ構造体５０ａは、円弧状係合部５９の代わりにリング状係合部５５を備える点を除いて、板バネ構造体５０同様に構成され、実際上同様に機能する。
【００４９】
電子時計１は、更に、リセットレバー本体部としてのリセットレバー６０を備える。リセットレバー６０は、この例では、全体としてタツノオトシゴのような形状の板金打抜き体からなる板状部６０ａと、該板状部６０ａを地板１０に対して中央部の回転中心軸線Ｃ１のまわりで回転可能に支える軸部６０ｂとを備える。軸部６０ｂが地板１０の軸受穴に回転自在に支持されていても、軸部６０ｂに対して、板状部６０ａが回転自在であってもよい。
【００５０】
リセットレバー板状部６０ａは、回転中心軸線Ｃ１を含む領域に拡がった中心ボス部ないし肥大部６１から巻真２０の先端のところまで延びたＬ字状腕部６２と、ボス部６１からＸ方向に突出しバネ部５６に係合するバネ受部ないし係合突起部６３と、ボス部６１からほぼ−Ｘ方向に延びた上下方向腕部６４と、該上下方向腕部６４のやや斜めに延びた延在端からほぼ−Ｙ方向に延びた横方向腕部６５と、該腕部６５の先端に形成された三番車軸受用肥大部ないしボス部６６と、該ボス部６６からリセットピン３２のところまで斜めに延びたリセット端子部６７とを有する。以上において、ボス部６１並びにＬ字状腕部６２及び係合突起部６３が入力側レバー部６８を構成し、腕部６４，６５，６７及びボス部６６が出力側レバー部６９を構成する。また、以上において、リセットレバー装置８は、リセットレバー６０と、板バネ構造体５０のバネ部５６とからなる。なお、リセットレバー装置８が、リセットレバー６０と、バネ部５６を備えた板バネ構造体５０とからなるとみなしてもよい。
【００５１】
巻真２０がＡ２方向に押込まれた巻真０段目Ｐ０にある場合、リセットレバー６０のＬ字状腕部６２の先端側の位置検出腕部６２ａの側縁６２ｂが巻真２０の先端面２９よりＡ２方向に押される。Ｌ字状腕部６２は、巻真２０に過大なＡ１方向反力が働くのを避けるべく、典型的には多少撓み得るけれども、板バネ構造体５０のリセットレバー偏倚バネ部５６よりもはるかに高い剛性を有し、バネ部５６と比較する限り、実質的に剛体とみなしてもよい。
【００５２】
また、巻真２０がＡ２方向に押込まれた巻真０段目Ｐ０にある場合、リセットレバー６０のバネ受部ないし係合突起部６３が板バネ構造体５０のリセットレバー偏倚バネ部５６の先端部５６ａの＋Ｙ側の側縁５６ｂに対して−Ｙ方向に押付けられ、リセットレバー偏倚バネ部５６の先端部５６ａをＧ１方向にずらすように偏倚バネ部５６を弾性変形させる（図３の実線）。
【００５３】
従って、巻真２０が巻真０段目にある場合、図５に示したように、リセットレバー６０は、非リセット位置Ｈ１を採る。即ち、巻真２０が巻真０段目にある場合、入力側レバー部６８が、巻真２０の先端面２９によるＡ２方向の押圧力の作用下でＪ１方向に回動変位され、板バネ構造体５０のバネ部５６をＧ１方向に押す。リセットレバー６０の出力側レバー部６９もＪ１方向に回動変位され、リセット端子部６７は、その先端の側縁６７ａがリセットピン３２から離れた非リセット位置Ｋ１を採る。なお、リセットレバー６０が非リセット位置Ｈ１を採る場合、三番車支持軸受部６６ａが係合位置Ｌ１を採り、三番車１５ｄが二番車１５ｅと噛合して四番車１５ｃの回転を二番車１５ｅに伝達する。
【００５４】
一方、図６に示したように、巻真２０がＡ１方向に引出されて巻真１段目位置Ｐ１を採ると、巻真２０の先端面２９がＡ１方向に移動して、リセットレバー６０のＬ字状腕部６２の位置検出腕部６２ａの側縁６２ｂから離れる。入力側レバー部６８に対するＪ１方向の回動変位力の解除に伴い、入力側レバー部６８は、板バネ構造体５０のバネ部５６が突起部６３に及ぼすＧ２方向の弾性復元力により、中心軸線Ｃ１のまわりで、Ｊ２方向に回動される。従って、出力側レバー部６９もＪ２方向に回動変位されて、リセット端子部６７が先端の側縁部６７ａでリセットピン３２に押付けられる。即ち、巻真２０がＡ１方向に引出されて巻真１段目位置Ｐ１を採ると、リセットレバー６０がリセット位置Ｈ２を採り、リセット端子部６７がリセットピン３２に当接するリセット位置Ｋ２に設定される。その結果、回路ブロック６からモータ４への駆動用信号の供給が停止され、モータ４の回転が停止され、秒針１３ｃの回転が停止される。なお、リセットレバー６０がリセット位置Ｋ２を採ると、三番車支持軸受部６６ａは、非係合位置Ｌ２を採り、三番車１５ｄと二番車１５ｅとの噛合が解除され、二番車（分車）１５ｅの回転が四番車（秒車）１５ｃに伝達されなくなる。リセットレバー６０による三番車の軸の支持の仕方自体の詳細については、例えば、特許文献１に開示されている。なお、三番車支持軸受部６６ａによる変位により、三番車１５ｄと二番車１５ｅとの噛合が解除されるようにする代わりに、三番車１５ｄと四番車１５ｃとの噛合が解除されるようになっていてもよい。
【００５５】
三番車１５ｄと二番車１５ｅとの噛合が解除されると、針回しのための巻真２０の回転が、つづみ車２８から日の裏車１７を介して筒車（時車）１６ａ及び二番車（分車）１５ｅに伝達されても、四番車（秒車）１５ｃには回転が伝達されないので、秒針１３ｃを止めた状態で分針１３ｂ及び時針１３ａの針合せが行われ得る。
【００５６】
以上において、板バネ構造体５０は、第一の板バネ本体部５１と電池プラス電極接点端子部５３と水晶缶接点端子部５４とリセットレバー偏倚バネ部５６とを備えた第一の板バネ構造体と、第二の板状基体部と弾性的な巻真係合腕部５７とを備えた第二の板状構造体（巻真位置決め用板状構造体）とからなっていてもよく、その場合、第一の板バネ構造体の代わりに第二の板状構造体が、更に、電池プラス電極接点端子部５３及び水晶缶接点端子部５４、又はリセットレバー偏倚バネ部５６を備えていてもよい。
【図面の簡単な説明】
【００５７】
【図１】本発明の好ましい一実施例の巻真位置決め用板状構造体としての板バネ構造体を備えた本発明の好ましい一実施例の電子時計の本体部の平面説明図（輪列受を取除いた状態）。
【図２】図１のＩＩ−ＩＩ線断面説明図。
【図３】図１のＩＩＩ−ＩＩＩ線断面説明図。
【図４】図１の板バネ構造体の斜視説明図。
【図５】図１の電子時計が非リセット状態にある際の平面説明図。
【図６】図１の電子時計がリセット状態にある際の平面説明図。
【図７】変形例の弾性的巻真係合腕部を備えた巻真位置決め用板状構造体としての板バネ構造体の図３と同様な断面説明図。
【符号の説明】
【００５８】
１  電子時計
２  時計本体
３  輪列機構
４  モータ    ４ａ  ステータ    ４ｂ  コイルブロック    ４ｃ  ロータ
５  ボタン型電池    ５ａ  負極    ５ｂ  正極
７  電池マイナス端子
８  リセットレバー装置
１０  地板    １０ａ  地板表面
１１  側壁    １１ａ  巻真案内孔    １１ｂ  電池収容凹部    １１ｆ  水晶発振器筐体受突起部    １１ｇ  フレキシブル回路基板載置突起部    １１ｈ  つづみ車受容凹部    １１ｊ，１１ｋ  板バネ中央側縁受突起部
１３  時刻表示針    １３ａ  時針    １３ｂ  分針    １３ｃ  秒針
１４  輪列受
１５  表側輪列    １５ａ  六番車    １５ｂ  五番車    １５ｃ  四番車    １５ｄ  三番車    １５ｅ  二番車    １５ｆ  八番歯車（日の裏歯車）
１６  裏側輪列    １６ａ  筒車（時車）    １６ｂ  八番かな（日の裏かな）
１７  八番車（日の裏車）
１８  係合部    １８ａ  突起部    １８ｂ  溝    １８ｃ  開口部    １８ｕ  規制壁部
２０  巻真
２１  大径軸部
２２  角柱状係合軸部
２３  中径軸部
２４  小径軸部
２５，２６  小径軸部
２７  ソロバン玉状部
２８  つづみ車
２９  先端面
３０  水晶発振器    ３０ａ，３０ｂ  接続端子部
３１  筐体（水晶缶）    ３１ａ  基端側部分    ３１ｂ  先端部    ３１ｃ  側縁
３２  リセットピン
３３  時計用ＩＣ（集積回路）
３４  フレキシブル回路基板
３５ａ  リセットピン接続用導電パッド部    ３５，３５ｃ，３５ｄ  導電パターン
３５ｅ  接続端子片部
３６ａ，３６ｂ  連結部
５０，５０ａ  板バネ構造体
５１  板バネ本体部
５２  中央部    ５２ａ  中心領域    ５２ｂ  突出部    ５２ｄ  側縁    ５２ｅ，５２ｆ  側縁の被支持部位
５３  電池プラス電極接点端子部    ５３ａ  傾斜端部    ５３ｂ  接点部
５４  水晶缶接点端子部    ５４ａ  腕部    ５４ｂ  接点部
５５  リング状係合部    ５５ａ  大径孔部
５６  リセットレバー偏倚バネ部
５７，５７ａ  弾性的巻真係合腕部
５８  腕本体部      ５８ａ  基部側腕部    ５８ｂ  先端側腕部
５９  円弧状係合部
６０  リセットレバー    ６０ａ  板状部    ６０ｂ  軸部
６１  中心ボス部（肥大部）
６２  Ｌ字状腕部    ６２ａ  位置検出腕部    ６２ｂ  側縁
６３  係合突起部
６４  上下方向腕部
６５  横方向腕部
６６  ボス部（肥大部）    ６６ａ  三番車軸受部
６７  リセット端子部
６８  入力側腕部
６９  出力側腕部
Ａ１，Ａ２  巻真出入方向
Ｂ  巻真回転方向
Ｃ，Ｃ１  回転中心軸線
Ｄ，Ｅ  板バネ構造体の両端のバネ部の力の方向
Ｆ１，Ｆ２  巻真係合バネ部の力又は変位の方向
Ｇ１，Ｇ２  リセットレバー偏倚バネ部の力又は変位の方向
Ｈ１，Ｈ２  リセットレバーの非リセット位置及びリセット位置
Ｊ１，Ｊ２  リセットレバーの回動方向
Ｋ１，Ｋ２  リセットレバーのリセット端子の非リセット位置及びリセット位置
Ｌ１，Ｌ２  リセットレバーの三番車軸受部の非リセット位置及びリセット位置
Ｐ０  巻真０段目
Ｐ１  巻真１段目
Ｘ，Ｙ，Ｚ  方向
【図１】
2006184236.tif 000003
【図２】
2006184236.tif 000004
【図３】
2006184236.tif 000005
【図４】
2006184236.tif 000006
【図５】
2006184236.tif 000007
【図６】
2006184236.tif 000008
【図７】
2006184236.tif 000009